(57)【要約】      （修正有）【課題】発電プラント等の機器の補修や保守点検、試験等の作業の際、安全処置等を管理するための処置タグを作成し、容易に確認可能なタグ作成システムおよびタグ作成方法。【解決手段】タグ作成システム１０は、設備を構成する機器のうち処置箇所指示情報を保存する処置箇所指示情報データベース１５と、処置箇所指示情報データベース１５から処置箇所指示情報を入力してクライアント１４に提供し、クライアント１４から入力された情報に基づいて処置箇所を選択することにより処置箇所情報を作成する処置箇所選択手段１１ｂ、この処置箇所選択手段１１ｂから前記処置箇所情報を受けて選択した前記処置箇所のタグ情報をクライアント１４から入力された情報に基づいて作成するタグ情報作成手段１１ｃおよび前記タグ情報をプリンタに与えるタグプリント手段１１ｆを有するタグ作成サーバ１１と、前記タグ情報を保存するタグ情報データベース１６とを具備する。【選択図】  図１
2004164392.tif 000002
【特許請求の範囲】
【請求項１】
設備を構成する機器のうち処置箇所を指示するための処置箇所指示情報を保存する処置箇所指示情報データベースと、前記機器の処置箇所におけるタグ情報を作成するタグ作成サーバと、このタグ作成サーバにより作成された前記タグ情報を保存するタグ情報データベースとを具備し、前記タグ作成サーバは、前記処置箇所指示情報データベースから処置箇所指示情報を入力してクライアントに表示可能に提供するとともに前記クライアントから入力された情報に基づいて処置箇所を選択することにより処置箇所情報を作成する処置箇所選択手段、この処置箇所選択手段から前記処置箇所情報を受けて選択した前記処置箇所のタグ情報をクライアントから入力された情報に基づいて作成するタグ情報作成手段および前記タグ情報をプリンタに与えるタグプリント手段を有することを特徴とするタグ作成システム。
【請求項２】
設備を構成する機器のうち処置箇所を指示するための処置箇所指示情報を保存する処置箇所指示情報データベースと、前記機器の処置箇所におけるタグ情報を作成するタグ作成サーバと、このタグ作成サーバにより作成された前記タグ情報を保存するタグ情報データベースと、前記タグ作成サーバに所要の情報を入出力するクライアントと、前記タグ作成サーバにより作成された前記タグ情報をプリントするプリンタとを具備し、前記タグ作成サーバは、前記処置箇所指示情報データベースから処置箇所指示情報を入力して前記クライアントに表示可能に提供するとともに前記クライアントから入力された情報に基づいて処置箇所を選択することにより処置箇所情報を作成する処置箇所選択手段、この処置箇所選択手段から前記処置箇所情報を受けて選択した前記処置箇所のタグ情報を前記クライアントから入力された情報に基づいて作成するタグ情報作成手段および前記タグ情報を前記プリンタに与えるタグプリント手段を有することを特徴とするタグ作成システム。
【請求項３】
前記タグ作成サーバは、前記タグ情報に基づいて前記設備を構成する各機器の管理台帳情報を作成する管理台帳情報作成手段を具備することを特徴とする請求項１または２記載のタグ作成システム。
【請求項４】
前記タグ作成サーバは、前記タグ情報に基づいて前記設備を構成する各機器の管理台帳情報を作成し、この管理台帳情報から前記クライアントにより選択された処置箇所の前記タグ情報を前記タグプリント手段に与える管理台帳情報作成手段を具備することを特徴とする請求項１または２記載のタグ作成システム。
【請求項５】
前記タグ作成サーバは、前記タグ情報に基づいて前記設備を構成する各機器の管理台帳情報とともに前記設備の系統ごとの系統管理台帳情報を作成し、作成した前記管理台帳情報を前記クライアントに閲覧あるいは編集可能に提供し、さらに前記クライアントから入力された情報に基づいて前記系統管理台帳情報を前記クライアントに閲覧あるいは編集可能に提供する管理台帳情報作成手段を具備することを特徴とする請求項１または２記載のタグ作成システム。
【請求項６】
前記タグ作成サーバは、前記タグ情報に基づいて前記設備を構成する各機器の管理台帳情報とともに前記設備の系統ごとの系統管理台帳情報を作成する管理台帳情報作成手段と、前記管理台帳情報および前記系統管理台帳情報の少なくとも一方に基づいて作業手順書情報を作成する手順書作成手段とを具備することを特徴とする請求項１または２記載のタグ作成システム。
【請求項７】
前記タグ作成サーバは、前記タグ情報データベースから前記タグ情報を入力して前記クライアントに編集可能に提供し、編集された前記タグ情報を前記タグ情報データベースに入力するタグ編集手段を具備することを特徴とする請求項１または２記載のタグ作成システム。
【請求項８】
前記タグ作成サーバは、前記処置箇所指示情報データベースから処置箇所指示情報を入力してクライアントに処置箇所の決定が可能となるように提供する処置箇所決定手段を具備することを特徴とする請求項１または２記載のタグ作成システム。
【請求項９】
前記タグ作成サーバは、前記処置箇所指示情報データベースから処置箇所指示情報を入力してクライアントに提供し、前記処置箇所指示情報から機器を選択すると、選択した機器の処置内容および選択した機器と所定の関係を有する機器を識別可能に表示し、さらにクライアントから入力された情報に基づいて処置箇所を決定する処置箇所決定手段を具備することを特徴とする請求項１または２記載のタグ作成システム。
【請求項１０】
前記タグ作成サーバは、前記クライアントから入力された前記機器の制御情報を所定の前記機器の機器制御装置に送信する制御情報送信手段を具備することを特徴とする請求項１または２記載のタグ作成システム。
【請求項１１】
設備を構成する機器のうち処置箇所を指示するための処置箇所指示情報を入力してクライアントに表示可能に提供するとともに前記クライアントから入力された情報に基づいて処置箇所を選択することにより処置箇所情報を作成するステップと、作成した前記処置箇所情報を受けて選択した前記処置箇所のタグ情報をクライアントから入力された情報に基づいて作成するステップと、作成した前記タグ情報をプリンタに与えるステップとを具備することを特徴とするタグ作成方法。
【発明の詳細な説明】
【０００１】
【発明の属する技術分野】
本発明は、発電プラント等の設備に使用される機器に対し、安全処置等の処置作業時に処置内容を表示する処置タグを作成するタグ作成システムおよびタグ作成方法に関する。
【０００２】
【従来の技術】
発電プラント等の設備を構成する機器は、継続的に定期点検が実施される。機器の定期点検は作業票に基づいて実施されるが、従来この作業票を作成するシステムとして図７に示す作業票作成システムがある（例えば特許文献１参照）。
【０００３】
定期点検の際、各機器は電源系統から離隔状態すなわちアイソレーション状態とされる。このため、アイソレーション状態とすべき機器等の定期点検に関する指示をするためのアイソレーション情報を作業票に表示して作業指示する必要がある。
【０００４】
作業票作成システム１は、作業票データ編集手段２にアイソレーションデータベース３、作業票データベース４、ＣＲＴ（Ｃａｔｈｏｄｅ−ｒａｙ  ｔｕｂｅ）表示装置５、作業情報格納メモリ６および作業情報作成手段７を接続した構成である。さらに、作業情報格納メモリ６と作業情報作成手段７とは互いに接続される。
【０００５】
また、アイソレーションデータベース３には、定期点検の作業内容に対応したアイソレーション情報が予め保存される。
【０００６】
作業票作成システム１の作業情報作成手段７は、予め定められた定期点検機器作業スケジュール８に基づいて入力された作業情報を作業票データ編集手段２あるいは作業情報格納メモリ６に与え、作業情報格納メモリ６に入力された作業情報は一時的に保存される。
【０００７】
さらに、作業票データ編集手段２は、作業情報作成手段７あるいは作業情報格納メモリ６から入力された作業情報に対応するアイソレーション情報をアイソレーションデータベース３から検索し、検索したアイソレーション情報と作業情報とにより所要の作業票情報を作成する。そして、作業票データ編集手段２により作成された作業票情報は、ＣＲＴ表示装置５に表示されるとともに作業票データベース４に入力されて保存され、保存された作業票情報に基づいて機器の定期点検が管理される。
【０００８】
【特許文献１】
特開平７−３２５６１３号公報（第４頁、図２参照）
【０００９】
【発明が解決しようとする課題】
発電プラント等の設備を構成する機器の補修や保守点検、試験等の作業の際、その作業に応じて所要の機器には保護または危険防止のために事前に安全処置等の処置がそれぞれ実施される。
【００１０】
しかし、従来の作業票作成システム１は、発電プラント等の設備の定期点検の際の、設備を構成する各機器のアイソレーション状態を管理し、定期点検についての作業票データを作成することに限定されたシステムであるため、設備の安全処置等の処置を管理し、またその作業票等の帳票を作成することができない。
【００１１】
このため、設備に使用される機器のうち処置箇所となる機器は紙面ベースのＥＣＷＤ（展開接続図）に図示される。そして、処置作業者は、このＥＣＷＤを参照することにより、処置箇所に該当する機器を確認し、安全処置作業等の処置作業を実施する。このため、ＥＣＷＤの確認作業に時間を要し、過大な作業となっている。
【００１２】
さらに、処置作業者は、機器の処置作業が終了すると、処置タグに処置内容を手書きにより記入して作成する。例えば発電プラントを構成する機器の安全処置作業の場合には、処置タグは１つの作業で１０枚から１００枚程度作成される。
【００１３】
また、１つの作業が終了して別の作業を実施する際、処置箇所が同じ機器であっても過去に作成した処置タグは表示内容が異なる場合が多く、再利用することが困難であることから処置タグは再度作成される。
【００１４】
このため、処置作業者は、処置タグ作成のために多大な作業時間と労力を要する。
【００１５】
また、処置作業者は、同様に手書きにより管理台帳に所定の事項を記入し、機器の処置作業は管理台帳により管理される。そして、管理台帳により各機器の処置状況が把握される。
【００１６】
本発明はかかる従来の事情に対処するためになされたものであり、発電プラント等の設備を構成する機器の補修や試験等の作業の際、処置作業者がより短時間で簡易に安全処置等の処置を管理するための処置タグを作成し、作成した処置タグを処置作業者がより容易に確認することが可能なタグ作成システムおよびタグ作成方法を提供することを目的とする。
【００１７】
また、本発明の他の目的は、処置作業者がより簡易に各機器の処置状況を管理するための管理台帳を作成し、作成した管理台帳をより容易に確認して各機器の処置状況を把握することが可能なタグ作成システムおよびタグ作成方法を提供することである。
【００１８】
【課題を解決するための手段】
本発明に係るタグ作成システムは、上述の目的を達成するために、請求項１に記載したように、設備を構成する機器のうち処置箇所を指示するための処置箇所指示情報を保存する処置箇所指示情報データベースと、前記機器の処置箇所におけるタグ情報を作成するタグ作成サーバと、このタグ作成サーバにより作成された前記タグ情報を保存するタグ情報データベースとを具備し、前記タグ作成サーバは、前記処置箇所指示情報データベースから処置箇所指示情報を入力してクライアントに表示可能に提供するとともに前記クライアントから入力された情報に基づいて処置箇所を選択することにより処置箇所情報を作成する処置箇所選択手段、この処置箇所選択手段から前記処置箇所情報を受けて選択した前記処置箇所のタグ情報をクライアントから入力された情報に基づいて作成するタグ情報作成手段および前記タグ情報をプリンタに与えるタグプリント手段を有することを特徴とするものである。
【００１９】
また、本発明に係るタグ作成システムは、上述の目的を達成するために、請求項２に記載したように、設備を構成する機器のうち処置箇所を指示するための処置箇所指示情報を保存する処置箇所指示情報データベースと、前記機器の処置箇所におけるタグ情報を作成するタグ作成サーバと、このタグ作成サーバにより作成された前記タグ情報を保存するタグ情報データベースと、前記タグ作成サーバに所要の情報を入出力するクライアントと、前記タグ作成サーバにより作成された前記タグ情報をプリントするプリンタとを具備し、前記タグ作成サーバは、前記処置箇所指示情報データベースから処置箇所指示情報を入力して前記クライアントに表示可能に提供するとともに前記クライアントから入力された情報に基づいて処置箇所を選択することにより処置箇所情報を作成する処置箇所選択手段、この処置箇所選択手段から前記処置箇所情報を受けて選択した前記処置箇所のタグ情報を前記クライアントから入力された情報に基づいて作成するタグ情報作成手段および前記タグ情報を前記プリンタに与えるタグプリント手段を有することを特徴とするものである。
【００２０】
また、本発明に係るタグ作成方法は、上述の目的を達成するために、請求項１１に記載したように、設備を構成する機器のうち処置箇所を指示するための処置箇所指示情報を入力してクライアントに表示可能に提供するとともに前記クライアントから入力された情報に基づいて処置箇所を選択することにより処置箇所情報を作成するステップと、作成した前記処置箇所情報を受けて選択した前記処置箇所のタグ情報をクライアントから入力された情報に基づいて作成するステップと、作成した前記タグ情報をプリンタに与えるステップとを具備することを特徴とする方法である。
【００２１】
【発明の実施の形態】
本発明に係るタグ作成システムの実施の形態について添付図面を参照して説明する。
【００２２】
図１は本発明に係るタグ作成システム１０の実施形態を示す機能ブロック図である。
【００２３】
タグ作成システム１０は、タグ作成サーバ１１に、マウスやキーボード等の入力手段１２とモニタ１３を具備するクライアント１４、処置箇所指示情報データベースの一例であるＥＣＷＤ（展開接続図）情報データベース１５、タグ情報データベース１６およびプリンタ１７をそれぞれ接続した構成である。
【００２４】
発電プラント等の設備に使用される機器の補修作業や保守点検、試験の際、機器の保護または危険防止のために事前に安全処置等の処置が実施されるが、これらの処置箇所はＥＣＷＤに図示されて指示される。そして、処置作業者は、機器の所要の処置を実施する処置タグを作成するとともに管理台帳に所定の事項を記録する必要がある。
【００２５】
機器の処置箇所を表示する各ＥＣＷＤは、予め電子化されて処置箇所指示情報としてのＥＣＷＤ情報とされ、ＥＣＷＤ情報データベース１５に保存される。
【００２６】
また、タグ作成サーバ１１は、発電プラント等の設備に使用される機器の処置箇所決定手段１１ａ、処置箇所選択手段１１ｂ、タグ情報作成手段１１ｃ、管理台帳情報作成手段１１ｄ、タグ情報編集手段１１ｅ、タグプリント手段１１ｆ、手順書作成手段１１ｇおよび制御情報送信手段１１ｈを具備する。
【００２７】
タグ作成サーバ１１の処置箇所決定手段１１ａは、クライアント１４の入力手段１２による指令に基づいてＥＣＷＤ情報データベース１５に保存されるＥＣＷＤ情報を入力してクライアント１４に閲覧可能に提供し、各機器の処置内容とクライアント１４の入力手段１２によりＥＣＷＤ情報から選択された機器を処置する場合に影響を及ぼす関連機器とを識別可能に表示する機能を有する。
【００２８】
また、処置箇所決定手段１１ａは、クライアント１４の入力手段１２により選択された機器を処置箇所として決定あるいは処置箇所とされていた機器を非処置箇所と変更して決定し、ＥＣＷＤ情報を変更させて再びＥＣＷＤ情報データベース１５に入力あるいは処置箇所選択手段１１ｂに与える機能を有する。
【００２９】
すなわち、処置作業者は処置箇所決定手段１１ａにより、ＥＣＷＤ情報に適切に処置箇所を変更、追加または削除することができる。
【００３０】
タグ作成サーバ１１の処置箇所選択手段１１ｂは、クライアント１４の入力手段１２による指令に基づいてＥＣＷＤ情報データベース１５に保存されるＥＣＷＤ情報を入力してあるいは処置箇所決定手段１１ａからＥＣＷＤ情報を受けて処置箇所を選択可能にクライアント１４のモニタ１３に表示する機能と、モニタ１３に表示されたＥＣＷＤ情報からクライアント１４の入力手段１２により選択された処置箇所を処置箇所情報としてタグ情報作成手段１１ｃに与える機能とを有する。
【００３１】
タグ作成サーバ１１のタグ情報作成手段１１ｃは、処置箇所選択手段１１ｂから受けた処置箇所情報に基づいて、処置箇所における処置タグの電子データであるタグ情報をクライアント１４のモニタ１３に所定事項を入力可能に表示する機能と、クライアント１４の入力手段１２により所定事項が入力されたタグ情報をタグ情報データベース１６に入力するとともに管理台帳情報作成手段１１ｄに与える機能とを有する。
【００３２】
そして、タグ作成サーバ１１に接続されたタグ情報データベース１６は、タグ作成サーバ１１のタグ情報作成手段１１ｃが作成したタグ情報を保存する機能を有する。
【００３３】
一方、タグ作成サーバ１１の管理台帳情報作成手段１１ｄは、タグ情報作成手段１１ｃから受けたタグ情報に基づいて、管理台帳の電子データである管理台帳情報および設備の系統ごとの系統管理台帳情報を作成する機能と、作成した管理台帳情報と系統管理台帳情報とを保存するとともに必要に応じてクライアント１４に編集及び閲覧可能に提供し、さらに手順書作成手段１１ｇに与える機能とを有する。
【００３４】
また、管理台帳情報作成手段１１ｄは、クライアント１４により管理台帳情報から設備の系統が選択されると、選択された系統の系統管理台帳情報をクライアント１４に編集及び閲覧可能に提供する機能を有する。
【００３５】
さらに、管理台帳情報作成手段１１ｄは、クライアント１４により管理台帳情報あるいは系統管理台帳情報から機器の処置箇所が選択されると、処置箇所のタグ情報をタグプリント手段１１ｆに与える機能を有する。
【００３６】
タグ作成サーバ１１の手順書作成手段１１ｇは、管理台帳情報作成手段１１ｄから受けた管理台帳情報あるいは系統管理台帳情報を所定の書式に編集して作業手順書の電子データである作業手順書情報を作成して保存し、必要に応じてクライアント１４に編集及び閲覧可能に提供する機能を有する。
【００３７】
また、タグ作成サーバ１１のタグ情報編集手段１１ｅは、クライアント１４の入力手段１２により入力された情報に基づいて、タグ情報データベース１６に保存されたタグ情報を入力してクライアント１４に編集及び閲覧可能に提供する機能と、クライアント１４の入力手段１２により編集されたタグ情報を再びタグ情報データベース１６に入力する機能とを有する。
【００３８】
タグ作成サーバ１１のタグプリント手段１１ｆは、クライアント１４の入力手段１２により入力された情報に基づいて、タグ情報データベース１６に保存されたタグ情報を入力してプリンタ１７に与え、紙面として処置タグを出力させる機能を有する。さらに、タグプリント手段１１ｆは、管理台帳情報作成手段１１ｄからタグ情報を受けたときは、管理台帳情報作成手段１１ｄから受けたタグ情報をプリンタ１７に与え、紙面として処置タグを出力させる機能を有する。
【００３９】
また、処置箇所となる各機器は、これら機器を制御して操作するための機器制御装置としての現場制御盤１８をそれぞれ具備している。そして、各現場制御盤１８のうち機器を数値制御する現場制御盤１８は通信ケーブルを介してタグ作成サーバ１１と接続される。
【００４０】
そして、タグ作成サーバ１１の制御情報送信手段１１ｈは、クライアント１４の入力手段１２により入力された情報に基づいて、機器を制御するための制御情報を現場制御盤１８に送信する機能を有する。すなわち、クライアント１４の入力手段１２から機器を制御することが可能となるように構成される。
【００４１】
図２は、図１に示すクライアント１４のモニタ１３に表示されるＥＣＷＤ情報の一例を示す図である。
【００４２】
クライアント１４のモニタ１３に表示されるＥＣＷＤ情報２０は、例えば図２に示すように複数の機器を示す図形および記号が互いにケーブルを示す線により接続された状態で表示される。そして、機器のうち処置箇所２１が例えば黒色表示され、処置作業者はＥＣＷＤ情報２０を閲覧することにより、処置箇所２１を確認し、クライアント１４の入力手段１２から選択することができるように構成される。
【００４３】
図３は、図１に示すクライアント１４のモニタ１３に表示されるタグ情報の一例を示す図である。
【００４４】
タグ作成サーバ１１のタグ情報作成手段１１ｃによりクライアント１４のモニタ１３に表示されるタグ情報３０は、例えば図３に示すように４つの項目で構成される表により表示される。図３の例では、タグ情報３０には、機器の処置を実施する担当者の氏名を表示する項目、機器の処置の実施期間を表示する項目、機器の処置の理由を表示する項目および機器の処置に関する備考を表示する項目が設けられる。
【００４５】
そして、クライアント１４の入力手段１２からタグ情報３０の各項目に所定事項を入力することができるように構成される。
【００４６】
図４は、図１に示すクライアント１４のモニタ１３に表示される管理台帳情報の一例を示す図である。
【００４７】
タグ作成サーバ１１の管理台帳情報作成手段１１ｄにより作成される管理台帳情報４０は、例えば図４に示すように７列の表で構成される。そして、管理台帳情報４０には処置作業ごとに各処置の管理番号であるＮｏ（ナンバ）、処置箇所２１、処置期間、理由、系統、担当者、実施状況を表示する欄が設けられ、タグ情報３０の各項目に対応する項目が表示される。
【００４８】
このため、処置作業者は、クライアント１４のモニタ１３から管理台帳情報４０を閲覧して確認することにより、設備の各機器の処置状況を把握して管理することができる。
【００４９】
管理台帳情報４０の管理番号はタグ作成サーバ１１のタグ情報作成手段１１ｃから管理項目情報を受けると自動的に設定される。
【００５０】
また、処置の対象となる設備は複数の系統を具備し、処置箇所２１である機器は各系統に属している。そして、管理台帳情報４０の処置箇所２１および系統の欄に表示される事項は、タグ作成サーバ１１の処置箇所選択手段１１ｂにより作成された処置箇所情報を参照して、自動的に作成されて表示される。
【００５１】
そして、管理台帳情報４０に表示された各処置はクライアント１４の入力手段１２から選択して、再度タグ作成サーバ１１のタグ情報編集手段１１ｅによりタグ情報３０を編集し変更することができるように構成される。
【００５２】
また、管理台帳情報４０に表示された系統をクライアント１４の入力手段１２から選択して、系統ごとの系統管理台帳情報を表示させることができるように構成される。
【００５３】
図５は、図１に示すクライアント１４のモニタ１３に表示される系統ごとの系統管理台帳情報５０の一例を示す図である。
【００５４】
クライアント１４のモニタ１３に表示される系統ごとの系統管理台帳情報５０は、例えば図５に示すように６列の表で構成される。そして、系統管理台帳情報５０には、選択した系統に属する処置箇所２１の管理番号であるＮｏ（ナンバ）、処置期間、理由、担当者、実施状況を表示する項目が処置作業ごと設けられる。
【００５５】
このため、処置作業者は、クライアント１４のモニタ１３から系統管理台帳情報５０を閲覧して確認することにより、設備の系統ごとの各機器の処置状況を把握して管理することができる。
【００５６】
次に、タグ作成システム１０による処置タグの作成の流れについて説明する。
【００５７】
図６は、図１に示すタグ作成システムにより処置タグを作成するフローチャートである。
【００５８】
処置作業者は、発電プラント等の設備に使用される機器の補修作業や試験を実施する際、所定の機器について安全処置作業等の処置作業を実施する必要がある。
【００５９】
このため、ステップＳ１において、処置作業者は、処置作業を実施すべき機器を確認して決定するために、補修作業や試験等の作業を実施する設備のＥＣＷＤ情報２０をモニタ１３に表示させる指令をクライアント１４の入力手段１２からタグ作成サーバ１１の処置箇所決定手段１１ａに与える。
【００６０】
タグ作成サーバ１１の処置箇所決定手段１１ａは、クライアント１４の入力手段１２からの指令によりＥＣＷＤ情報データベース１５に保存されるＥＣＷＤ情報２０を入力してクライアント１４に閲覧可能に提供する。そして、処置作業者は、クライアント１４の入力手段１２によりＥＣＷＤ情報２０から作業に関連する機器を選択する。
【００６１】
処置箇所決定手段１１ａは、ＥＣＷＤ情報２０から機器が処置箇所２１として選択されると、選択された機器の処置内容をモニタ１３に表示するとともに選択された機器を処置する場合に影響を及ぼす関連機器を識別可能に表示する。このため処置作業者は処置作業の内容と処置作業を実施すべき機器を確認することができる。そして、処置作業者は処置作業を実施すべき機器をクライアント１４の入力手段１２から選択する。
【００６２】
処置箇所決定手段１１ａは、処置作業を実施すべき機器が選択されると、選択された機器を処置箇所２１として決定し処置箇所２１を識別可能に表示するＥＣＷＤ情報とし、ＥＣＷＤ情報データベース１５に入力あるいは処置箇所選択手段１１ｂに与える。
【００６３】
次にステップＳ２で、タグ作成サーバ１１の処置箇所選択手段１１ｂは、クライアント１４の入力手段１２からＥＣＷＤ情報２０をモニタ１３に表示させる指令を受けると、ＥＣＷＤ情報データベース１５に保存されるＥＣＷＤ情報２０あるいは処置箇所決定手段１１ａから受けたＥＣＷＤ情報２０をクライアント１４のモニタ１３に表示する。このため、処置作業者は、クライアント１４のモニタ１３からＥＣＷＤ情報２０を参照することにより処置作業を実施すべき処置箇所２１を確認することができる。
【００６４】
そして、処置作業者は、ＥＣＷＤ情報２０に表示された処置箇所２１のうちから、処置作業を実施しようとする処置箇所２１をクライアント１４の入力手段１２により選択する。
【００６５】
さらに、タグ作成サーバ１１の処置箇所選択手段１１ｂは、クライアント１４の入力手段１２により選択された処置箇所２１を処置箇所情報としてタグ情報作成手段１１ｃに与える。
【００６６】
ステップＳ３では、タグ情報作成手段１１ｃは、処置箇所選択手段１１ｂから処置箇所情報を受けると、この処置箇所情報に基づいて処置作業者が選択した処置箇所２１における処置タグの電子データであるタグ情報３０をクライアント１４のモニタ１３に表示する。モニタ１３に表示された処置タグには、担当者、期間、理由、備考等の所定事項を表示する項目を有しており、処置作業者はタグ情報３０の各項目にクライアント１４の入力手段１２により各事項を入力する。
【００６７】
タグ情報作成手段１１ｃは、タグ情報３０の各項目に各事項が入力されると、タグ情報データベース１６に入力するとともに管理台帳情報作成手段１１ｄに与える。
【００６８】
一方、ステップＳ４では、タグ作成サーバ１１の管理台帳情報作成手段１１ｄは、タグ情報作成手段１１ｃからタグ情報３０を受けると管理台帳の電子データである管理台帳情報４０を作成する。この管理台帳情報４０は、クライアント１４のモニタ１３に表示される。管理台帳情報作成手段１１ｄが作成した管理台帳情報４０には、処置箇所２１のタグ情報３０に表示される内容のうち所要の内容が表示される。
【００６９】
さらに、処置作業者は他の処置箇所２１についても同様の操作を行いタグ情報３０をタグ情報データベース１６とタグ作成サーバ１１の管理台帳情報作成手段１１ｄに与える。このため、タグ情報データベース１６には、タグ情報作成手段１１ｃにより作成されたタグ情報３０が順次保存されて蓄積される一方、管理台帳情報４０には、各処置箇所２１についてタグ情報３０にそれぞれ表示される事項が、表形式で処置ごとに一括して表示される。
【００７０】
そして、処置作業者は管理台帳情報４０を参照することにより、設備の各機器における全体の処置状況を把握することができる。
【００７１】
さらに、管理台帳情報４０の項目として各処置箇所２１が属する系統が表示されるが、確認すべき系統をクライアント１４の入力手段１２により指示すると、系統管理台帳情報５０が表示される。このため、処置作業者は系統管理台帳情報５０を参照することにより、設備の系統ごとの各機器における処置状況を把握することができる。
【００７２】
また、ステップＳ５において、処置作業者により作成されたタグ情報３０の内容を変更する必要が生じたときは、管理台帳情報４０からタグ情報３０を変更しようとする処置箇所２１をクライアント１４の入力手段１２により選択する。
【００７３】
管理台帳情報４０からクライアント１４の入力手段１２により処置箇所２１が選択されると、タグ作成サーバ１１のタグ情報編集手段１１ｅは、選択された処置箇所２１のタグ情報３０をタグ情報データベース１６から入力してクライアント１４のモニタ１３に表示する。このため、処置作業者はクライアント１４の入力手段１２により選択した処置箇所２１のタグ情報３０を編集し、変更することができる。
【００７４】
そして、処置作業者がタグ情報３０の変更を終えると、タグ作成サーバ１１のタグ情報編集手段１１ｅは、変更後のタグ情報３０をタグ情報データベース１６に入力する。
【００７５】
ただし、タグ情報３０の変更は、ＥＣＷＤ情報２０に表示された処置箇所２１から、変更しようとする処置箇所２１をクライアント１４の入力手段１２により再度選択して、選択した処置箇所２１のタグ情報３０をクライアント１４のモニタ１３に表示させて変更する方法としてもよい。
【００７６】
そして、ステップＳ６において、所要の処置箇所２１のタグ情報３０の作成が完了すると、処置作業者は、クライアント１４の入力手段１２によりプリントすべき処置箇所２１のタグ情報３０のプリント指示情報をタグ作成サーバ１１のタグプリント手段１１ｆに与える。
【００７７】
タグ作成サーバ１１のタグプリント手段１１ｆは、クライアント１４の入力手段１２からタグ情報３０のプリント指示情報を受けると、プリント指示情報を受けた処置箇所２１のタグ情報３０をタグ情報データベース１６から入力してプリンタ１７に与え、紙面として処置タグを出力させる。
【００７８】
また、処置作業者が管理台帳情報４０あるいは系統管理台帳情報５０からクライアント１４の入力手段１２により処置箇所２１を選択した場合には、管理台帳情報作成手段１１ｄは、選択した処置箇所２１のタグ情報３０をタグプリント手段１１ｆに与える。
【００７９】
そして、タグプリント手段１１ｆは、管理台帳情報作成手段１１ｄから受けたタグ情報３０をプリンタ１７に与え、紙面として処置タグを出力させる。
【００８０】
このため、処置作業者は、紙面ベースの処置タグを得ることができる。そして、処置タグを処置作業を実施した機器等の所要の機器に付することができる。
【００８１】
また、ステップＳ７において、管理台帳情報作成手段１１ｄは、作成した管理台帳情報４０あるいは系統管理台帳情報５０を手順書作成手段１１ｇに与える。そして、手順書作成手段１１ｇは、管理台帳情報作成手段１１ｄから受けた管理台帳情報４０あるいは系統管理台帳情報５０を所定の書式に編集して設備試験等の作業において安全処置等の処置を実施すべき各処置箇所２１の情報を表示した試験手順書等の作業手順書の電子データである作業手順書情報を作成する。
【００８２】
このため、処置作業者は、この作業手順書に基づいて試験等の作業において適切に各処置箇所２１の処置作業を実施することができる。
【００８３】
また、ステップＳ８において、処置箇所２１となる各機器のうち、現場制御盤１８がタグ作成サーバ１１と通信ケーブルを介して接続された機器の処置作業をする際には、処置作業者は、クライアント１４の入力手段１２から処置作業に必要な制御情報をタグ作成サーバ１１の制御情報送信手段１１ｈに与える。
【００８４】
タグ作成サーバ１１の制御情報送信手段１１ｈは、クライアント１４の入力手段１２から処置箇所２１の制御情報を受けると、この制御情報を処置箇所２１の現場制御盤１８に送信する。このため、処置箇所２１となる機器の現場制御盤１８は、タグ作成サーバ１１の制御情報送信手段１１ｈから受信した制御情報に基づいて機器を制御し、処置作業を実施することができる。
【００８５】
すなわち、タグ作成システム１０は、発電プラント等の設備に使用される機器の処置箇所２１を電子データのＥＣＷＤ情報２０から確認し、さらに、クライアント１４の入力手段１２から入力された情報に基づいて電子データの処置箇所２１のタグ情報３０をタグ作成サーバ１１により作成するクライアントサーバシステムである。
【００８６】
タグ作成システム１０では、処置タグを手書きによらずにクライアント１４からタグ情報３０に所定事項を入力するのみで自動作成するため、処置タグの作成時間を短縮することができる。
【００８７】
また、タグ作成システム１０では、設備を構成する各機器を示すＥＣＷＤを電子データであるＥＣＷＤ情報２０として各機器の処置内容と各機器が影響を及ぼす機器を識別可能にクライアント１４に表示することができるため、容易に複数の機器間における影響を確認し、処置作業を実施すべき処置箇所２１を決定することができる。
【００８８】
また、タグ作成システム１０では、クライアント１４上でＥＣＷＤ情報２０から処置箇所２１を選択して、選択した処置箇所２１の処置タグ情報に所定事項を入力するため、処置箇所２１の選択ミス、誤記、記入漏れを回避することができる。
【００８９】
さらに、タグ情報３０の書式が統一されて自動的に設定されるため、処置タグの作成ミス及び処置作業時の処置タグの確認ミスに伴う作業ミスを低減させることができる。
【００９０】
また、タグ作成システム１０では、タグ情報３０が作成されていれば、処置タグは必要な時にプリントのみで得られるため、処置作業前に予めタグ情報３０を作成することにより処置タグ作成作業の効率化が図れるとともに処置作業の検討時間の削減や処置作業の実施不足を未然に防止することが可能となる。
【００９１】
また、同一の処置箇所２１の処置タグあるいは処置タグの表示内容が一部同一となる処置タグを複数枚作成する場合には、タグ情報３０の表示内容を一部変更するのみで、処置タグを作成することができるため、処置作業者の処置タグの作成作業労力を低減させ、作成時間を短縮することができる。
【００９２】
また、タグ作成システム１０では、クライアント１４から所定事項を入力してタグ情報を作成すると、自動的にタグ情報３０の所要の内容が表示された管理台帳情報４０が作成されるため、管理台帳の作成作業が不要となり処置作業者の労力を低減させ、より簡易かつ短時間に管理台帳を作成することができる。
【００９３】
また、タグ作成システム１０では、管理台帳情報４０から処置箇所２１を選択してタグ情報３０を表示させることが可能であり、かつタグ情報３０を再度編集して編集内容を管理台帳情報４０に反映することができるため、確実に管理台帳情報４０とタグ情報３０との整合性が担保され、機器の処置状況に変化が生じても適切かつ容易に各機器の処置状況を把握することができる。さらに、各機器の処置状況に応じてより適切なタグ情報３０を作成することができるため、不適切な処置作業を回避させて作業ミスを防止することができる。
【００９４】
また、タグ作成システム１０では、系統ごとの系統管理台帳情報５０が自動作成されるため、系統管理台帳情報５０を利用して、系統ごとの試験の際の試験手順書又は各種作業手順書を作成することができる。このため、機器の試験手順書又は各種作業手順書の作成時間を低減させることができる。
【００９５】
さらに、管理台帳情報４０の各処置箇所２１の処置項目として表示された系統を選択すると、選択した系統の系統管理台帳情報５０が表示されるため、各処置箇所２１の処置状況を系統ごとに把握することができる。
【００９６】
また、タグ作成システム１０では、機器が具備する現場制御盤１８を直接操作することなく、クライアント１４から制御情報を送信することにより機器を制御することができる。このため、クライアント１４から機器の処置作業を実施することができる。さらに、処置作業の際、機器への移動が不要となり処置作業の作業時間を短縮することができる。
【００９７】
尚、処置タグの作成のみを必要とする場合には、タグ作成システム１０のタグ作成サーバは、少なくとも処置箇所選択手段１１ｂ、タグ情報作成手段１１ｃおよびタグプリント手段１１ｆを具備すれば、その他の機能は具備されなくてもよい。
【００９８】
また、処置箇所決定手段１１ａは、各機器の処置内容を表示する機能と処置作業により影響を及ぼす関連機器を表示する機能を具備せずに、ＥＣＷＤ情報２０に処置箇所２１を追加あるいは削除する機能のみを具備するように構成してもよい。
【００９９】
また、管理台帳情報作成手段１１ｄには、必要がなければ系統管理台帳情報５０を作成する機能並びに管理台帳情報４０あるいは系統管理台帳情報５０から選択された処置箇所２１のタグ情報３０をタグプリント手段１１ｆに与える機能を設けなくてもよい。
【０１００】
【発明の効果】
本発明に係るタグ作成システムにおいては、発電プラント等の設備を構成する機器の補修や保守点検、試験等の作業の際、処置作業者が電子化された処置箇所指示情報から処置箇所を選択して所定事項をクライアントから入力するのみでより短時間かつ簡易に処置タグ情報を作成し、さらに作成した処置タグ情報をクライアントからより容易に確認することができる。
【０１０１】
また、処置作業者により処置タグ情報が作成されると自動的に各機器の処置状況を管理するための管理台帳情報が閲覧可能に作成されるため、管理台帳の作成作業を低減させるとともにより容易に管理台帳情報を確認して各機器の処置状況を把握することができる。
【図面の簡単な説明】
【図１】本発明に係るタグ作成システムの実施形態を示す機能ブロック図。
【図２】図１に示すクライアントのモニタに表示されるＥＣＷＤ情報の一例を示す図。
【図３】図１に示すクライアントのモニタに表示されるタグ情報の一例を示す図。
【図４】図１に示すクライアントのモニタに表示される管理台帳情報の一例を示す図。
【図５】図１に示すクライアントのモニタに表示される系統ごとの管理台帳情報の一例を示す図。
【図６】図１に示すタグ作成システムにより処置タグを作成するフローチャート。
【図７】従来の作業票作成システムの機能ブロック図。
【符号の説明】
１０  タグ作成システム
１１  タグ作成サーバ
１１ａ  処置箇所決定手段
１１ｂ  処置箇所選択手段
１１ｃ  タグ情報作成手段
１１ｄ  管理台帳情報作成手段
１１ｅ  タグ情報編集手段
１１ｆ  タグプリント手段
１１ｇ  手順書作成手段
１１ｈ  制御情報送信手段
１２  入力手段
１３  モニタ
１４  クライアント
１５  ＥＣＷＤ情報データベース（処置箇所指示情報データベース）
１６  タグ情報データベース
１７  プリンタ
１８  現場制御盤
２０  ＥＣＷＤ情報
２１  処置箇所
３０  タグ情報
４０  管理台帳情報
５０  系統管理台帳情報
【図１】
2004164392.tif 000003
【図２】
2004164392.tif 000004
【図３】
2004164392.tif 000005
【図４】
2004164392.tif 000006
【図５】
2004164392.tif 000007
【図６】
2004164392.tif 000008
【図７】
2004164392.tif 000009